(57)【特許請求の範囲】
【請求項１】
相手部材が貫通した状態で相手部材に対して昇降可能なケースと、
相手部材の長手方向に対して斜め方向となってケースに形成された斜面及び相手部材と斜面との間に配置されて相手部材と接触する少なくとも一つのロック駒を有し、相手部材に対するケースの昇降に伴ってロック駒が前記斜面に沿って相対的にスライドすることによりロック駒の相手部材への摩擦力を増減させる楔機構と、
前記摩擦力の増大方向にロック駒がスライドするように付勢する弾性体と、
前記弾性体及びロック駒を連結して弾性体の付勢力をロック駒に伝達すると共に前記摩擦力が減少する方向へのロック駒のスライドを行うために操作される操作レバーと、を備えていることを特徴とするスライドロック装置。
【請求項２】
前記ケースはロック駒の斜めスライドを案内する斜め傾斜のロックガイド長孔を有していることを特徴とする請求項１記載のスライドロック装置。
【請求項３】
前記操作レバーはロック駒を貫通する連結ピン及び連結ピンが移動するロック解除長孔を有していることを特徴とする請求項１または２記載のスライドロック装置。
【請求項４】
前記ケースは、相手部材を挟み込むように分割可能な一対のケース体からなり、前記楔機構、弾性体及び操作レバーが一方のケース体に配置されていることを特徴とする請求項１〜３のいずれか１項記載のスライドロック装置。
【請求項５】
前記ロック駒は相手部材を挟んだ位置に複数が配置されていることを特徴とする請求項１〜４のいずれか１項記載のスライドロック装置。
【請求項６】
前記ロック駒又は／及び相手部材における相互の接触部分に、凹凸加工又は摩擦部材が設けられていることを特徴とする請求項１〜５のいずれか１項記載のスライドロック装置。
【発明の詳細な説明】
【技術分野】
【０００１】
本発明は、シャワーヘッドの保持台や電気スタンドの電灯保持ヘッド等に対し、その高さ調整を行うために使用されるスライドロック装置に関する。
【背景技術】
【０００２】
シャワーヘッドは壁面に取り付けられたシャワーバーに対して上下高さ調整が可能となっており、これにより使用者の身長や好みに応じた高さでの使用が可能となっている。
【０００３】
特許文献１に記載されている従来の装置では、高さ調整のためのリング状のハンドルを用いるものであり、ハンドルの内部には、シャワーヘッドの保持台に当接して保持台との間に摩擦力を生じさせるブレーキ体を設けている。ハンドルは保持台にねじ込むことにより取り付けられるものであり、この状態でハンドルを正逆方向に回転操作させることによりブレーキ体の摩擦力を増減させる。そして、摩擦力を軽減させることによりシャワーヘッドの高さ調整を行い、ハンドルを締め付けることによりシャワーヘッドの定位置での固定を行うようになっている。
【０００４】
特許文献２に記載されている従来の装置では、シャワーバーをケースによって挟む構造となっており、ケースにはハンドルレバーを設けている。ハンドルレバーはケースに設けたばね（弾性体）によって、その先端がシャワーバーに押し付けられることによりシャワーヘッドとの間に摩擦力を生じるようになっている。この装置においては、ハンドルレバーを握るだけでばねの押圧力から解放されるため、シャワーバーが自由状態となり、シャワーヘッドの昇降操作を簡単に行うことが可能となっている。
【特許文献１】特開２００２−１９４７８４公報
【特許文献２】特開平９−１５８２７３号公報
【発明の開示】
【発明が解決しようとする課題】
【０００５】
ところでスライドロック装置をシャワーヘッドの昇降に用いる場合には、シャンプー、洗剤や湯が降りかかって内部に入り込むことを避けることができない。このように内部に入り込んだシャンプーや洗剤は滑り易いため、シャワーヘッドが滑ってシャワーバーから下がることがあり、適正な使用位置から外れて使用勝手が悪いものとなる。このような場合には、シャワーヘッドを保持する保持力を大きくしてシャワーヘッドの不用意な下降を防止する必要がある。又、電気スタンドにおいても同様であり、大きな電灯を用いる場合には、その重量が大きいため、電灯保持ヘッドが不用意に下降する不都合があり、これを防止するためには、電灯保持ヘッドの保持力を大きくする必要がある。
【０００６】
このような保持力を大きくするため、特許文献１の構造では、リング状のハンドルをきつく回転させて締め付けることにより、ブレーキ体の摩擦力を大きくする必要がある。従って、ハンドルへの操作性が低下する問題がある。又、ハンドルの締め付けには限界があるため、シャワーヘッドや電灯保持ヘッドの固定を行うためのロック力を大きくすることができないものともなっている。さらに、昇降の際には、ハンドルへの回転操作が必ず伴うため、操作性が悪い問題も有している。さらに、又、ハンドルの締め付け力を大きくするためには、ハンドルのリング形状を大きくする必要があり、その分ハンドルが突出するため、デザイン面での見栄えも悪いものとなる。
【０００７】
特許文献２の構造では、ロック力を大きくするために、ばね力の大きなばねに変更して摩擦力を大きくする必要があり、ばね力を大きくする分、ハンドルレバーへの操作力が大きくなるため操作性が低下する問題がある。又、ハンドルレバーの操作性との関係上、ばね力を大きくすることに限界があり、ロック力の向上を行うことができないものとなっている。これに加えて、ばね力の大きなばねとする分、ばねが長くなるためハンドルレバーの突出量が大きくなり、デザイン面の見栄えも低下する。
【０００８】
さらに、いずれの従来構造においても、構造が複雑で部品点数が多いため、シャワーヘッドや電気スタンド等に組み付けることが難しいのに加えて、メンテナンスや故障修理がしにくい問題を有している。
【０００９】
なお、特開２００２−１０６５２３公報にも、シャワーヘッド等の高さ調整を行うスライドロック装置が記載されているが、このスライドロック装置では、点接触によってスライドロックを行う構造であり、以上の従来の特許文献のように摩擦力の増減によってロック及びその解除を行う点で異なるものである。
【００１０】
本発明は、以上の従来構造の問題点を考慮してなされたものであり、シャワーヘッドや電気スタンド等のロック力を大きくすることに起因して操作力が大きくなったり、ロック力を大きくするためにばね力を大きくする必要がなく、確実にロックを行うことができ、しかも高さ調整を簡単に行うことができるのに加えて、突出量が大きくなることがなく良好なデザイン性を有したスライドロック装置を提供することを目的とする。
【課題を解決するための手段】
【００１１】
請求項１記載のスライドロック装置は、相手部材が貫通した状態で相手部材に対して昇降可能なケースと、相手部材の長手方向に対して斜め方向となってケースに形成された斜面及び相手部材と斜面との間に配置されて相手部材と接触する少なくとも一つのロック駒を有し、相手部材に対するケースの昇降に伴ってロック駒が前記斜面に沿って相対的にスライドすることによりロック駒の相手部材への摩擦力を増減させる楔機構と、前記摩擦力の増大方向にロック駒がスライドするように付勢する弾性体と、前記弾性体及びロック駒を連結して弾性体の付勢力をロック駒に伝達すると共に前記摩擦力が減少する方向へのロック駒のスライドを行うために操作される操作レバーと、を備えていることを特徴とする。
【００１２】
請求項１記載の発明において、相手部材としては、シャワーヘッドが昇降するシャワーバーあるいは電灯保持ヘッドが昇降するスタンド、その他の長尺物が対象となる。また、ケースはシャワーヘッドの保持部材、電灯保持ヘッド、その他の保持部材を直接または間接的に保持する部材となる。
【００１３】
請求項１記載の発明においては、ケースの昇降に伴って楔機構のロック駒がケースの斜面に沿って相対的にスライドし、このスライドにより相手部材に対するロック駒の摩擦力が増減する。一方、弾性体は操作レバーを介してロック駒が摩擦力の増大方向にスライドするように作用しており、ケースは楔作用に基づくロック駒の摩擦力によって定位置に保持された状態となっている。このような楔作用に起因したケースの保持では、弾性体の付勢力による摩擦力だけによってケースを保持する構造とは異なるため、弾性体の付勢力を必要以上に大きくする必要がない。
【００１４】
以上のケースの定位置での保持状態において、シャンプー等の滑りや電灯の重量に起因したり、相手部材を低い位置に移動させる必要性に起因してケースに下方への移動力が作用したとき、ケースへの移動力に起因して斜面及びロック駒に対して相対的なスライド力が発生し、これによりケースの斜面が楔作用によってロック駒を相手部材にさらに強く押し付けるように作用する。このため、ロック駒と相手部材との間の摩擦力が増大し、ロック駒が相手部材に食い込んでケースのロック力が大きくなる。これによりケースは下降することなく、定位置での停止状態を維持する。このように楔作用に起因した摩擦力によってケースを定位置に停止させる構造では、上述と同様に、弾性体の付勢力を大きくする必要がなくなる。
【００１５】
以上のケースの下方向移動と逆の方向への移動力（上方への移動力）をケースに作用させた場合、上記と逆方向の相対的なスライド力が斜面及びロック駒に対して発生するため、ロック駒と相手部材との摩擦力が小さくなる。従って、この方向に対しては、その小さな摩擦力に抗した力をケースに作用させることによりケースを同方向に簡単に移動させることができる。この場合には、操作レバーを操作する必要がないため、操作性が向上すると共に使用勝手が良好となる。
【００１６】
一方、ケースの定位置での保持状態に対し、操作レバーを操作すると、操作レバーに連結されているロック駒は相手部材との摩擦力が減少する方向にスライドする。このため、上下のいずれの方向に対しても相手部材に対してケースを軽い力で移動させることができ、ケースの高さ調整を簡単に行うことができる。そして、この操作レバーへの操作を解除した場合には、上述したように弾性体の付勢力に基づく楔作用によってロック駒と相手部材との摩擦力が発生するため、ケースはその位置で停止する。
【００１７】
以上のような請求項１記載の発明では、弾性体の付勢力を楔機構に作用させ、楔機構の楔作用によってケースのロックを行うため、ケースのロック力が大きくなり、ケースの確実なロックを行うことができると共に、ロック力を大きくすることに起因して操作力が大きくなったり、ロック力を大きくするために付勢力の大きな弾性体を用いる必要がなく、操作性が向上する。しかも高さ調整を簡単に行うことができ、さらには突出量が大きくなることがなく良好なデザインとすることができる。
【００１８】
請求項２記載の発明は、請求項１記載のスライドロック装置であって、前記ケースはロック駒の斜めスライドを案内する斜め傾斜のロックガイド長孔を有していることを特徴とする。
【００１９】
請求項２記載の発明では、ケースに設けたロックガイド長孔がロック駒のスライドを案内するため、ロック駒を相手部材に円滑に当接させることができる。
【００２０】
請求項３記載の発明は、請求項１または２記載のスライドロック装置であって、前記操作レバーはロック駒を貫通する連結ピン及び連結ピンが移動するロック解除長孔を有していることを特徴とする。
【００２１】
請求項３記載の発明では、連結ピンが弾性体の付勢力をロック駒に伝達し、ロック解除ガイド長孔が連結ピンのスライドを案内するため、ロック駒をロック位置から円滑に離反させることができる。
【００２２】
請求項４記載の発明は、請求項１〜３のいずれか１項記載のスライドロック装置であって、前記ケースは、相手部材を挟み込むように分割可能な一対のケース体からなり、前記楔機構、弾性体及び操作レバーが一方のケース体に配置されていることを特徴とする。
【００２３】
請求項４記載の発明では、ケースが一対のケース体に分割可能となっており、楔機構、弾性体、操作レバーからなる機構部品が一方のケース体に配置されていることにより、一対のケース体を組み付けることにより完成品とすることができる。このような分割構造では、スライドロック装置の組み付けが簡単となるばかりでなく、既存のシャワーや電気スタンド等の相手部材への組み付け、すなわち後付けが容易であり、分解によるメンテナンス、修理に良好に適合することができる。
【００２４】
請求項５記載の発明は、請求項１〜４のいずれか１項記載のスライドロック装置であって、前記ロック駒は相手部材を挟んだ位置に複数が配置されていることを特徴とする。
【００２５】
請求項５記載の発明では、複数のロック駒が相手部材を挟んだ状態となっており、それぞれが上述した楔作用に基づいた摩擦力を発生するため、ケースのロック力が大きくなり、ケースの確実なロックが可能となる。
【００２６】
請求項６記載の発明は、請求項１〜５のいずれか１項記載のスライドロック装置であって、前記ロック駒又は／及び相手部材における相互の接触部分に、凹凸加工又は摩擦部材が設けられていることを特徴とする。
【００２７】
請求項６記載の発明では、凹凸加工または摩擦部材によってロック駒と相手部材との摩擦力を調整することができるため、仕様や要求に応じた昇降操作に柔軟に対応することができる。
【発明の効果】
【００２８】
本発明によれば、ケースの斜面と、この斜面及び相手部材との間に設けたロック駒とによって楔機構を形成し、この楔機構の楔作用に基づく摩擦力によってケースを定位置に保持する構造のため、ケースのロック力が大きくなり、ケースを確実にロックすることができると共に、ロック力を大きくすることに起因して操作力が大きくなることがなく操作性が向上する。また、弾性体は楔機構のロック駒と相手部材との摩擦力を増大するために用いるものであり、弾性体の付勢力による摩擦力だけによってケースを保持する構造とは異なるため、付勢力の大きな弾性体を用いる必要がなく、ケースの高さ調整を簡単に行うことができ、しかも弾性体に起因した突出量が大きくなることがなく、コンパクトで良好なデザインとすることができる。
【発明を実施するための最良の形態】
【００２９】
以下、本発明を図示する実施形態に基づいて具体的に説明する。なお、各実施形態において、同一の部材には同一の符号を付して対応させてある。
【００３０】
図１〜図７は本発明の第１実施形態におけるスライドロック装置１を示し、図１は全体の平面図、図２は正面図、図３は側面図、図４は横断面図、図５は作用を説明する縦断面図、図６はロック駒、図７は操作レバーを示す。
【００３１】
この実施形態のスライドロック装置１は、ケース２と、ロック駒３及び斜面１５からなる楔機構２０と、操作レバー５と、コイルばねからなる弾性体６を備えて構成されている。
【００３２】
ケース２は外形が縦長の直方体形状に成形されており、シャワーヘッドや電灯保持ヘッド（図示省略）等が取り付けられることによりこれらを保持するものである。ケース２にはシャワーバーやスタンド等の縦長な相手部材４０（図４及び後述する図９参照）が貫通し、この貫通状態で相手部材４０の長さ方向に沿って昇降可能となっている。このケースの昇降により、ケース２に取り付けられたシャワーヘッドや電灯保持ヘッドの高さ位置を調整することができる。相手部材４０が貫通するため、ケース２には貫通路７が上下方向に貫通している。この実施形態において、ケース２は、共に直方体の半体形状となっている第１のケース体２ａ及び第２のケース体２ｂを組み付けることにより形成されるものであり、これによりケース２は２つのケース体２ａ、２ｂに分割可能となっている。
【００３３】
図５に示すように、第１のケース体２ａの長さ方向の中間部分にはロック駒３を配置するための溝部１０が形成されており、ロック駒３は貫通路７側から第２のケース体２ｂの溝部１０内に挿入される。溝部１０には斜面１５が形成されている。斜面１５は相手部材４０の長手方向に対して斜め方向となるように形成されるものであり、この実施形態では、下方から上方に向かうにつれて相手部材４０に接近するような所定の斜め角度に傾斜している。一方、この溝部１０内に挿入されるロック駒３には、ケース２の斜面１５に対応する斜面１６が形成されている。ロック駒３の斜面１６はケース２の斜面１５と同方向に同角度で傾斜しており、ケース２側の斜面１５と面接触している。これらのロック駒３及び斜面１５，１６により、ロック駒３と相手部材４０との間の摩擦力を増減させる楔機構２０が構成される。楔機構２０に対してこのような斜面構造を設けることにより、後述するようなケース２の下降をロックするスライドロックを行うことができる。
【００３４】
かかる楔機構２０は以下のように作用するものである。ケース２に下降する力（図５における矢印Ｔ方向の力）が作用したとき、ケース２の斜面１５が斜面１６（すなわちロック駒３）に対して相対的にＴ方向にスライドし、これによりロック駒３を相手部材４０の方向に押圧する。このロック駒３の押圧によりロック駒３が相手部材４０に食い込む楔作用（図５における矢印Ｌ方向の作用）が起きるため、ロック駒３と相手部材４０との摩擦力が大きくなる。これに対し、ケース２に上昇する力（図５における矢印Ｓ方向の力）が作用したとき、ケースの斜面１５が斜面１６（すなわちロック駒３）に対して相対的にＳ方向にスライドし、これによりロック駒３はケース２の斜面１５から逃げる楔作用（図５における矢印Ｆ方向の作用）が起きるため、ロック駒３と相手部材４との摩擦力が小さくなる。
【００３５】
第１のケース体２ａには、斜面１５と平行な斜め方向のロックガイド長孔１１が形成されている（図３参照）。ロックガイド長孔１１は後述する連結ピン４が貫通するものであり、連結ピン４はロックガイド長孔１１内を移動可能となっている。このような連結ピン４のロックガイド長孔１１内の移動は、後述するようにロック駒３がケース１２の斜面１５を相対的にスライドする際に行われるものである。
【００３６】
ロック駒３は、図４及び図６に示すように相手部材４０に対面して同部材４０の外面と接触する接触面３１が前面側に形成されている。接触面３１は相手部材１０の外形と同様な曲率を有した曲面となっており、その全面が相手部材４０と面接触するようになっている。ロック駒３の背面は、ケース２における溝部１０の斜面１５に対応するものであり、この背面の全体が上述した斜面１６となっている。なお、ロック駒３には、連結ピン４が貫通するピン孔３ｃが形成されており、連結ピン４がピン孔３ｃを貫通することによりロック駒３と連結ピン４との連結が行われるようになっている。
【００３７】
コイルばねからなる弾性体６は、ロック駒３が配置されている第１のケース体２ａ側に取り付けられる。弾性体６の取り付けを行うため、第１のケース体２ａには収容溝１４が形成されている（図４及び図５参照）。この収容溝１４は第１のケース体１ａを貫通する貫通孔とはなっておらず、従って、収容溝１４に挿入された弾性体６は相手部材４０と接触することがなく、弾性体６の付勢力は相手部材４０に対する直接の摩擦力として作用することがない。
【００３８】
図４及び図７に示すように、操作レバー５は平面から見てコ字形に形成されており、中央部分の操作部５ａと、操作部５ａの両端部からケース２側に延びる一対の脚部５ｂとを有している。この操作レバー５は、一対の脚部５ｂが第１のケース体２ａに対し横方向から差し込まれて取り付けられる。差し込まれた脚部５ｂを収容するため、第１のケース体２ａの外面には、横方向に延びる凹部２ｃが形成されており（図２参照）、この凹部２ｃ内に操作レバー５が挿入されることにより操作レバー５のスライドがケース２にガイドされる。
【００３９】
操作レバー５の一対の脚部５ｂの一端側（図４における右端側）は、ロック駒３との対応位置まで延びており、その端部には、上述した連結ピン４が取り付けられる。連結ピン４は操作レバー５の一部を構成するものであり、ロック駒３を貫通し、この貫通状態で操作レバー５の延設端部に掛け渡される。又、操作レバー５の操作部５ａには、第１のケース体２ａ内に圧縮状態で取り付けられた弾性体６の端部が当接しており、操作レバー５は弾性体６の付勢力によってケース２から離れる方向に付勢されている。このような構造の操作レバー５は弾性体６とロック駒３とを連結すると共に、この連結により弾性体６の付勢力をロック駒３に伝達するように作用している。また、後述するように、操作レバー５の操作部５ａへの押圧操作を行うと、この押圧力が連結ピン４を介してロック駒３に伝達される。
【００４０】
すなわち、操作レバー５への押圧操作による押圧力が連結ピン４を介してロック駒３に伝達されると、ロック駒３はケース２の斜面１５に沿って下方向（図５における矢印Ｆ方向）にスライドし、このスライドによってロック駒３は相手部材４０から離れるように移動する。相手部材４０から離れるロック駒３の移動を行うため、一対の脚部５ｂにはロック解除ガイド長孔１３が形成され（図３及び図７参照）、このロック解除ガイド長孔１３に連結ピン４が挿入されている。ロック解除ガイド長孔１３は、図３に示すように、ケース２に形成されたロックガイド長孔１１と交差する方向に傾斜している。そして、操作部５ａを押圧操作すると、ロック解除ガイド長孔１３が押圧方向に一体的に移動するため、連結ピン４はロック解除ガイド長孔１３に沿って移動し、この移動によってロック駒３が相手部材４０から離れるようにケース２の斜面１５をスライド移動する。
【００４１】
図４及び図５に示すように、この実施形態においては、ロック駒３及び斜面１５からなる楔機構２０、弾性体６、操作レバー５の全てが第１のケース体２ａに配置されている。これらの楔機構２０、弾性体６、操作レバー５は相手部材４０の定位置でのロック作動及び相手部材の昇降作動に関係する部材であり、このように作動に関係する部材の全てをケース２における第１のケース体２ａに配置することにより、第２のケース２ｂを第１のケース体２ａに突き当てて、ねじ等の締結部材（図示省略）により一対のケース体２ａ、２ｂを締結することによりスライドロック装置１を簡単に組み立てることができる。また、締結部材を外すことによりスライドロック装置１を分解することができる。このような分割構造とすることにより、スライドロック装置１のメンテナンスや修理を簡単に行うことができるばかりでなく、既存の設置状態となっているシャワーや電気スタンド等の相手部材４０への組み付け、すなわち後付けが容易であり、汎用性のあるスライドロック装置１とすることができる。
【００４２】
次に、この第１実施形態の作動を図４及び図５により説明する。通常状態では、ケース２の斜面１５によってロック駒３が相手部材と接触した状態となっている。このとき、弾性体６の付勢力が操作レバー５を介してロック駒３に伝達されるため、ロック駒３と相手部材４０との間に摩擦力が発生する。これにより、ケース２は摩擦力によりロックされた定位置での停止状態となっている。
【００４３】
このような状態において、シャンプーや湯の入り込みや電灯重量の増大に起因したり、シャワーヘッドや電灯保持ヘッドを低位置に移動させる必要性に起因してケース２に滑り力や下方への移動力Ｔ（図５参照）が作用した場合、ロック駒３はその位置に止まろうとするため、ロック駒３はケース２の斜面１５を矢印Ｌ方向に相対的に移動する。これにより、ロック駒３は相手部材４０に食い込んで相手部材４０との摩擦力が増大する。この摩擦力の増大、すなわち楔作用により、ケース２は相手部材４０から滑ることなく、シャワーヘッドや電灯保持ヘッドが下降することがない。かかる斜面１５に対するロック駒３の相対移動の際には、連結ピン４がロックガイド長孔１１を移動するため安定して移動することができる。
【００４４】
この実施形態において、シャワーヘッドの位置を高く調整する場合においては、操作レバー５を無理に操作する必要がないものである。すなわち、操作レバー５を押圧操作することなく、ケース２に対して直接に上昇力を作用させると、この上昇方向Ｓ（図５参照）では、矢印Ｆ方向で示すようにロック駒３がケース２の斜面１５を下方向にスライドするため、ロック駒３は相手部材４０から幾分離れる。このため、ロック駒３と相手部材４０との間の楔機構２０による摩擦力が小さくなる。従って、この小さな摩擦力に打ち勝つだけの上昇力を加えることによりケース２を簡単に上昇させることができる。このように操作レバー５を操作する必要がないことにより操作性が向上する。
【００４５】
一方、操作レバー５を押圧操作して同レバー５を押し込むと、脚部５ｂのロック解除ガイド長孔１３が連結ピン４を斜め下方に押し下げるため、連結ピン４に連結されているロック駒３がケース２の斜面１５に沿って図５の矢印Ｆにスライド下降してロック駒３が相手部材４０から離れる方向に移動する。このため、楔機構２０による摩擦力が消失或いは極めて小さくなる。このような状態では、楔機構のロック状態が解除されるため、上下いずれの方向に対してもケース２を軽い力で移動させることができる。従って、ケース２の高さ調整を円滑且つ容易に行うことができる。かかる操作レバー５への押圧操作を解除した場合には、上述したように弾性体６の付勢力に基づいて楔機構２０が作用し、そのロック駒３が相手部材４０との間に摩擦力を発生させるため、ケース２は滑ることなくその位置で停止することができる。
【００４６】
以上のような第１実施形態では、弾性体６の付勢力を楔機構２０に作用させて、楔機構２０のロック駒３と相手部材４０との間に摩擦力を発生させた楔作用によってケース２のロックを行うため、ケース２のロック力が大きくなり、ケース２を相手部材４０に強固にロックすることができる。従って、ケース２が不用意に下降することがない。また、ロック力を大きくすることに起因して操作力が大きくなったり、ロック力を大きくするために付勢力の大きな弾性体６を用いる必要がなく、操作性が向上する。しかも高さ調整を簡単に行うことができ、さらには突出量が大きくなることがなくコンパクトで良好なデザインとすることができる。なお、斜面１５，１６の傾斜方向を図示と逆方向に傾斜、すなわち、上方から下方に向かうにつれて相手部材４０に接近するように傾斜させることも可能であり、この場合には、ケース２の上昇に対するスライドロックを行うことが可能となる。
【００４７】
図８〜図１３は、本発明の第２実施形態におけるスライドロック装置１Ｂを示し、図８は全体の平面図、図９は正面図、図１０は第２のケース体２ｂの断面図、図１１はロック駒を示し、図１２は横断面図、図１３は作用を示す縦断面図である。
【００４８】
この実施形態においても、ケース２が分割可能な一対のケース体２ａ、２ｂによって形成されており、第１のケース体２ａ及び第２のケース体２ｂを組み付けることにより貫通路７が形成され、この貫通路７を相手部材４０が貫通している。また、この実施形態では、楔機構２０が第２のケース体２ｂに配置され、弾性体６が第１のケース体２ａに配置されている。すなわち、楔機構２０及び弾性体６は相手部材４０を挟んだ両側に配置されるものである。一方、操作レバー５は第１のケース体２ａ及び第２のケース体２ｂに掛け渡されるようにケース２に取り付けられ、これにより操作レバー５は相手部材４０を跨ぐように配置される。
【００４９】
楔機構２０が第２のケース体２ｂに配置されることから、第２のケース体２ｂには図１０に示すように、ロック駒３を配置するための溝部１０が形成されると共に、ロック駒３が相対的にスライドする斜面１５が溝部１０の側面部分に形成されている。又、第２のケース体２ｂには、連結ピン４が挿入されるロックガイド長孔１１が斜め方向に形成されている。
【００５０】
ロック駒３は、図１１及び図１２に示すように平面から見てコ字形に形成されることにより、中央の連結片３ａの両端部から２つの脚片３ｂが相手部材４０側に向かって直角状に延びている。連結片３ａはケース２における溝部１０の斜面１５に対応するものであり、連結片３ａの背面はケースの斜面１５と同方向同角度に傾斜して斜面１５と面接触する斜面１６となっている。この実施形態において、ロック駒３のそれぞれの脚片３ｂにおける前面（相手部材４０側の面）には連続した凹凸加工２１が施されており、これにより脚片３ｂの前面が相手部材４０に食い込むようになっている。このような凹凸加工２１が施されることにより、ロック駒３と相手部材４０とが良好且つ確実に接触できると共に、これらの間の摩擦力の強弱を調整することができる。
【００５１】
操作レバー５は図１２に示すように、一対の脚部５ｂが第２のケース体２ｂにまで延びており、ロック駒３を貫通した連結ピン４が一対の脚部５ｂの延設端部に掛け渡されている。これにより、ロック駒３と操作レバー５との連結がなされている。一対の脚部５ｂには、連結ピン４が挿入されるロック解除ガイド長孔１３が形成されている。このロック解除ガイド長孔１３は第２のケース体２ｂにおけるロックガイド長孔１１と反対方向に傾斜した状態となっている。一方、弾性体６は圧縮状態で第１のケース体２ａの収容溝１４内に取り付けられ、その端部が操作レバー５の操作部５ａに当接している。このような構造とすることにより、弾性体６の付勢力が脚部５ｂ及び連結ピン４を介してロック駒３に伝達される。又、操作レバー５を押圧操作することにより、ロック駒３が相手部材４０から離れて摩擦力が減少する方向にスライドすることができる。
【００５２】
この実施形態においては、ロック駒３及び斜面１５からなる楔機構２０が第２のケース体２ｂに配置され、弾性体６が第１のケース体２ａに配置される点が第１実施形態と異なるだけであり、その作動及び作用は第１実施形態と同様である。このため、図１３に作動及び作用を示す矢印Ｓ、Ｔ、Ｌ、Ｆを第１実施形態と同様に記載することにより、これらの説明を省略する。
【００５３】
図１４及び図１５は、本発明の第３実施形態におけるスライドロック装置１Ｃを示す。この実施形態では、ロック駒３が第２のケース体２ｂのみならず、第１のケース体２ａに配置されるものである。２つのロック駒３は、ケース２における対向した位置に配置されており、それぞれのロック駒３には操作レバー５の連結ピン４が貫通している。さらに、各ロック駒３の脚片３ｂにおける相手部材４０との対向面には凹凸加工２１が施されている。なお、ロック駒３としては、第１実施形態で示したロック駒３と同様な面接触構造のものを用いても良い。
【００５４】
２つのロック駒３はそれぞれのケース体２ａ、２ｂに形成された溝部１０の内部にセットされるが、各ケース体２ａ、２ｂの溝部１０には、第１実施形態及び第２実施形態と同様な斜面１５が対応するように形成されている。又、各ロック駒３の背面にも、斜面１５と同様な斜面１６が形成されており、これにより、２つのロック駒３及び対応している斜面１５のそれぞれが楔機構２０を構成している。このように２つの楔機構２０を設けた構成では、楔作用による摩擦力が倍増するため、ケース２のロック力が大きくなって滑り落ちをさらに確実に防止することができる。なお、２つのロック駒３に対応するため、操作レバー５に２つのロック解除ガイド長孔１３が形成される。また、同様に第１のケース体２ａ及び第２のケース体２ｂにも各ロック駒３に対応したロックガイド長孔１１が形成されている。
【００５５】
この実施形態では、操作レバー５を介して弾性体６の付勢力が２つのロック駒３に伝達されることにより、２つのロック駒３と相手部材４０との間に摩擦力が発生する。このため、ケース２をさらに強固にロックすることができる。このような構造では、弾性体６の付勢力をさらに小さくすることが可能となる。なお、ケース２の高さ調整は操作レバー５を操作するだけであり、上述した第１の実施形態及び第２の実施形態と同様となっている。
【００５６】
図１６〜図１９は、ロック駒３の変形例をそれぞれ示し、上述した各実施形態に適用することができる。図１６に示すロック駒３は、相手部材４０と接触する接触面３１に横方向の凹凸加工２２が施されている。図１７に示すロック駒３においては、相手部材４０と接触する接触面３１に斜め方向に交差するローレットからなる凹凸加工２３が施されている。図１８に示すロック駒３においては、相手部材４０と接触する接触面３１に縦方向の凹凸加工２４が施されている。
【００５７】
図１９に示すロック駒３においては、相手部材４０と接触する円形の接触面の前面部分に摩擦部材２７が取り付けられている。摩擦部材２７としては、ゴムや弾性を有したプラスチックを使用することができ、接触面に対して接着、溶着、その他の手段により固定することができる。
【００５８】
図２０は相手部材４０と接触するケース２（図示例では、第１のケース体２ａ）の接触面に摩擦部材２８を設けたものである。摩擦部材２８としては、図１８の摩擦部材２７と同様な部材及び同様な取り付けを行うことができる。また、摩擦部材２８に代えて相手部材４０の外面に凹凸加工を施しても良い。以上の凹凸加工及び摩擦部材としては、相手部材４０の外面に設けても良いものであり、ケース２及び相手部材４０の双方に設けても良いものである。
【図面の簡単な説明】
【００５９】
【図１】本発明の第１実施形態の平面図である。
【図２】第１実施形態の正面図である。
【図３】第１実施形態の側面図である。
【図４】第１実施形態の横断面図である。
【図５】第１実施形態の縦断面図である。
【図６】（ａ）、（ｂ）、（ｃ）はロック駒の平面図、正面図及び側面図である。
【図７】（ａ）、（ｂ）は操作レバーの平面図及び側面図である。
【図８】本発明の第２実施形態の平面図である。
【図９】第２実施形態の側面図である。
【図１０】第２実施形態に用いる第２のケース体の断面図である。
【図１１】（ａ）、（ｂ）、（ｃ）は第２実施形態に用いるロック駒の平面図、正面図及び側面図である。
【図１２】第２実施形態の横断面図である。
【図１３】第２実施形態の縦断面図である。
【図１４】本発明の第３実施形態の側面図である。
【図１５】第３実施形態の縦断面図である。
【図１６】（ａ）、（ｂ）、（ｃ）はロック駒の第１変形例の平面図、正面図及び側面図である。
【図１７】（ａ）、（ｂ）、（ｃ）はロック駒の第２変形例の平面図、正面図及び側面図である。
【図１８】（ａ）、（ｂ）、（ｃ）はロック駒の第３変形例の平面図、正面図及び側面図である。
【図１９】（ａ）、（ｂ）、（ｃ）はロック駒の第４変形例の平面図、正面図及び側面図である。
【図２０】ケースの変形例を示す平面図である。
【符号の説明】
【００６０】
１，１Ｂ，１Ｃ  スライドロック装置
２  ケース
２ａ  第１のケース体
２ｂ  第２のケース体
３  ロック駒
４  連結ピン
５  操作レバー
６  弾性体
７  貫通路
１１  ロックガイド長孔
１３  ロック解除ガイド長孔
１５  斜面
１６  斜面
２０  楔機構
２１、２２、２３、２４  凹凸加工
２７、２８  摩擦部材
【図１】
0004678622.tif 000002
【図２】
0004678622.tif 000003
【図３】
0004678622.tif 000004
【図４】
0004678622.tif 000005
【図５】
0004678622.tif 000006
【図６】
0004678622.tif 000007
【図７】
0004678622.tif 000008
【図８】
0004678622.tif 000009
【図９】
0004678622.tif 000010
【図１０】
0004678622.tif 000011
【図１１】
0004678622.tif 000012
【図１２】
0004678622.tif 000013
【図１３】
0004678622.tif 000014
【図１４】
0004678622.tif 000015
【図１５】
0004678622.tif 000016
【図１６】
0004678622.tif 000017
【図１７】
0004678622.tif 000018
【図１８】
0004678622.tif 000019
【図１９】
0004678622.tif 000020
【図２０】
0004678622.tif 000021